(57)【要約】  【課題】  ウェブ同士の接合を助け、巻取りプロセスの開始を補助することもできる二機能（開始・接合）構造を提供する。  【解決手段】  ウェブの後端部が、コアに貼り付けられるコア構成要素とウェブに貼り付けられるウェブ構成要素とを有する二構成要素構造を介して巻取りコアに貼り付けられる。これらの２つの構成要素は剥離可能に互いに貼り付けられている。本構造は巻取りの開始を補助する。巻出しが終了すると、ウェブ構成要素はコア構成要素から分離して、ウェブの後端部から延びるウェブ構成要素の一部上の接着剤の領域が露出される。このようにして、別のウェブの前端部をウェブ構成要素の露出した接着剤に貼り付けることにより、後端部を前端部と接合することができる。【選択図】  図３
2005200220.tif 000002
【特許請求の範囲】
【請求項１】
ウェブのロールを形成するように巻取りコアへの前記ウェブの巻取りを開始するのを助け、続いて前記ロールの巻き出しの際に前記ウェブを接合するのを補助する構造であって、
コア構成要素とウェブ構成要素とを備え、
前記コア構成要素は、前記コアに貼着されるように構成および配置され、
前記ウェブ構成要素は、前記ウェブの後端部に貼着されるように構成および配置される後部、および接着剤が施される前部を有し、前記ロールを形成するように前記コアへの前記ウェブの巻取りが開始される際、前記コアと前記ウェブの前記後端部との間に巻取り張力が加わっても、前記コア構成要素に貼り付いたままであるのに充分な接着剤の接合強度で前記コア構成要素に剥離可能に接着されるが、前記接着剤の接合強度は、このウェブ構成要素の前記前部が前記ロールの巻出し終了時に前記コア構成要素から分離することを可能にするのに充分な弱さであり、これにより、前記前部上の前記接着剤が、新たなロールから巻き出される別のウェブの前端部に貼着されるように露出し、前記ウェブ同士が接合するようにした二機能構造。
【請求項２】
前記コア構成要素は、前記コアに貼り付くように構成および配置されるコア貼着部と、このコア貼着部につながる自由端部と、を含み、この自由端部は、前記コア貼着部が前記コアに貼り付けられるとコアから離れて延び、前記自由端部の少なくとも片面は、前記ウェブ構成要素の前記前部が剥離可能に接着される剥離面を形成する請求項１に記載の二機能構造。
【請求項３】
前記ウェブ構成要素の前記前部上の前記接着剤は、前記ウェブの巻取りを開始するために前記コア構成要素と前記ウェブ構成要素とが互いに貼り付けられると、前記コア構成要素の前記自由端部により、ほぼ完全に覆われる請求項２に記載の二機能構造。
【請求項４】
前記ウェブ構成要素は、片面に感圧接着剤が施されたスプライシングテープを含む請求項１に記載の二機能構造。
【請求項５】
前記ウェブ構成要素は、前記後部上の前記接着剤に貼り付けられる剥離ライナーをさらに含み、それにより、この剥離ライナーが除去されると、前記ウェブの前記後部に貼り付けるための前記接着剤が露出する請求項４に記載の二機能構造。
【請求項６】
前記コア構成要素は、前記コア貼着部を形成するように、その全長の第１の部分に接着剤層が設けられる基板を含む請求項２に記載の二機能構造。
【請求項７】
前記コア構成要素の前記接着剤層は、片面が前記基板の全長の前記第１の部分に接着され、反対側の面が前記コアに接着するように前記基板に面しない両面接着テープにより供される請求項６に記載の二機能構造。
【請求項８】
前記コア構成要素は、前記両面接着テープの前記反対側の面を覆う除去可能な剥離ライナーをさらに含み、それにより前記コアに接着する前の前記コア構成要素の取り扱いを容易にする請求項７に記載の二機能構造。
【請求項９】
前記コア構成要素は、上面および下面を有する基板を含み、剥離材料の層が前記基板の前記上面に設けられ、前記基板の一部は、前記コア構成要素の前記自由端部が前記基板のうち２層から成る部分を含み、前記コア貼着部が前記基板のうち１層から成る部分を含むように折り目に沿って折り畳まれ、前記剥離材料の層は前記自由端部の対向する面の両方を形成し、前記ウェブ構成要素は前記基板の前記折り畳み部に貼り付けられる請求項２に
記載の二機能構造。
【請求項１０】
前記コア構成要素は、前記ウェブ構成要素が巻出し終了時に前記折り目から離れる方向に引っ張られると、前記基板の前記折り畳み部が自由に開き、それにより、前記ウェブ構成要素および前記基板の前記折り畳み部が、互いに引き離されるのに有利な相対向きになるように構成および配置される請求項９に記載の二機能構造。
【請求項１１】
前記コア構成要素は、片面が前記基板の前記下面に接着され、反対側の面が前記コアに貼り付けられるように位置付けられる両面接着テープをさらに含む請求項９に記載の二機能構造。
【請求項１２】
前記ウェブ構成要素は、片面に接着剤が施されたスプライシングテープを含み、前記ウェブ構成要素の前記前部が前記後部の下に折り畳まれることにより、前記前部上の前記接着剤は前記後部に面さず、前記前部は前記コア構成要素に接着される請求項１に記載の二機能構造。
【請求項１３】
前記コア構成要素は、前記ウェブ構成要素の前記前部が剥離可能に接着される剥離面を形成するように前記コアに施される剥離材料の層を含む請求項１２に記載の二機能構造。
【請求項１４】
前記コア構成要素は、前記コアに貼り付くように構成および配置されるコア貼着部と、このコア貼着部につながる自由端部とを有する基板を含み、前記自由端部は、前記コア貼着部が前記コアに貼り付けられるとこのコアから離れて延び、前記ウェブ構成要素の前記前部は前記自由端部に剥離可能に接着される請求項１２に記載の二機能構造。
【請求項１５】
前記ウェブ構成要素は、センサにより検知可能な接合部検知要素を含む請求項１に記載の二機能構造。
【請求項１６】
前記接合部検知要素は、金属検知センサにより検知される金属を含む請求項１５に記載の二機能構造。
【請求項１７】
ウェブを巻出して接合する方法であって、
巻取りコアに巻き取られた前記ウェブのロールを供給するステップであって、前記ウェブの後端部は、前記コアに貼り付けられるコア構成要素と前記後端部に貼り付けられるウェブ構成要素とを有する二構成要素機構を用いて、前記巻取りコアに貼り付けられ、前記ウェブ構成要素は、前記ウェブの前記後端部から突出する前記ウェブ構成要素の前部に剥離可能に貼り付けられ、前記ウェブ構成要素の前記前部には接着剤が付いており、この接着剤は前記ウェブ構成要素に貼り付けられてこのウェブ構成要素で覆われる供給するステップと、
前記ウェブの前記後端部が前記コアから離れて進んで、前記ウェブ構成要素が前記コア構成要素から分離されることにより前記ウェブ構成要素の前記前部上の前記接着剤が露出するまで前記ロールから前記ウェブを巻き出すステップと、
第２のウェブの前端部を前記ウェブ構成要素の前記前部上の前記接着剤に貼り付けることにより、前記ウェブの前記後端部をこの前端部と接合するステップと
を含む方法。
【請求項１８】
前記コア構成要素は、前記コアに取り付けられる基板の形態で設けられ、前記コアに貼り付けられないままとなる自由端部を有し、この自由端部には、前記ウェブ構成要素の前記前部に剥離可能に貼り付けられる剥離材料が施される請求項１７に記載の方法。
【請求項１９】
前記コア構成要素の前記自由端部は、前記基板の折り畳み部を有するように設けられ、
前記折り畳み部は、前記剥離材料が施されるコア対向面を画定し、前記コアと前記基板のうち折り目に沿ってこの折り畳み部に貼り付けられる別の部分との間にあり、巻き出すステップの際に、前記ウェブの前記後端部が前記コアから離れて進むと前記折り畳み部が前記ウェブ構成要素により引っ張られ、前記折り畳み部が前記折り目に沿って開くことにより、前記折り畳み部を前記ウェブ構成要素に対して、前記ウェブ構成要素および前記折り畳み部を、引き剥がすのにより有利な向きにする請求項１８に記載の方法。
【請求項２０】
ウェブをロール状に巻き取ること、および巻出しの際に前記ウェブを接合することを容易にするアセンブリであって、
円筒状の外面を有する巻取りコアと、
この巻取りコアの前記外面に貼り付けられるコア構成要素と、
片面に接着剤が施され、一部が前記コア構成要素に接着されるスプライシングテープと、
を備え、前記コア構成要素および前記スプライシングテープの前記接着剤は、前記スプライシングテープが剥離可能に前記コア構成要素に接着するように構成および配置されるアセンブリ。
【請求項２１】
前記コア構成要素は、前記コアの前記外面に貼着するコア貼着部と、前記コアに取り付けられない自由端部とを有する基板を含み、前記スプライシングテープは前記基板の前記自由端部に剥離可能に接着される請求項２０に記載のアセンブリ。
【請求項２２】
前記基板の前記自由端部の端部領域が前記自由端部の残りの部分の下に折り畳まれ、前記スプライシングテープは前記端部領域に剥離可能に接着される請求項２１に記載のアセンブリ。
【請求項２３】
前記コア構成要素は、前記巻取りコアの前記外面に施される剥離材料の層を含む請求項２０に記載のアセンブリ。
【発明の詳細な説明】
【技術分野】
【０００１】
本発明は、材料のロールを形成するために巻取りコアにウェブ材料を巻き取ること、および続いてロールからウェブ材料を巻き出し、巻き出し終えた（depleted）ロールのウェブ後端部を新たなロールのウェブ前端部に接合することに関する。
【背景技術】
【０００２】
ポリマーフィルム、紙、不織布または織布、金属箔、シートメタル、およびその他のウェブ材料は、様々な製品の製造において用いられる。ウェブ材料は概して、巻取りコアにウェブ材料を巻き取ることにより形成される大型ロールの形態で提供される。巻取りプロセスから始まり、ウェブの後端部が巻取りコアに貼着され、コアが軸を中心に回転してウェブをロール状に巻き取る。
【０００３】
製品を製造するため、ウェブ材料はロールから巻き出されて加工作業（converting operations）を施されるが、この作業の詳細は製造される製品によって異なる。１つのロールからのウェブが完全に巻き出されると接合作業が実施され、この作業では、新たなフルロールからのウェブの前端部が、巻出し終えたばかりのロールの後端部に貼着されることで、ウェブ材料が加工機に連続的に供給可能となる。
【０００４】
ウェブ材料の接合には種々の手法が用いられているが、この作業では、通常、ウェブの後端部と前端部とを互いに貼り合わせるために、何らかのタイプの接着テープまたは接着物質を用いることが必要である。接着剤が、巻取り前にウェブの後端部に存在している場合、接着剤は、通常、コアに面しない側になければならない。接合部を形成するため、新たなウェブの前端部と接触するのは、ウェブのこの側（コアに面しない側）であるからである。したがって、ウェブがロール状に巻き取られると、接着剤はウェブの次の巻取り回転で、その上に重なる部分（the subsequent turn of the web）に付着する場合があり、これは明らかに望ましくない。そのため、このような付着を防止する何らかの措置が必要である。Bockhの米国特許第５，８５５，７１４号は、接着剤に隣接するウェブの後端部に接着不可能領域を設けて、この問題を克服することを提案している。接着不可能領域は、コアの周りの少なくとも１回転分に及ぶのに充分な長さであるため、接着剤は接着不可能領域と接触し、それにより付着が防止される。
【特許文献１】米国特許第５，８５５，７１４号公報
【発明の開示】
【発明が解決しようとする課題】
【０００５】
あるタイプのウェブ材料では、接着不可能領域を形成することが不都合であるか、または実用的でない場合があり、いずれにしても、巻取り前にウェブに対して別作業を行うことが必要となる。
【０００６】
さらに、ウェブ材料を接合する構造は、一般に、ロール状にウェブを巻き取ることに関するいかなる機能を補助することも、それを実施することもない。
【課題を解決するための手段】
【０００７】
本発明は、ウェブ同士の接合を助け、巻取りプロセスの開始を補助することもできる二機能構造を提供することにより、上記の要求に応じ、また、その他の利点も得られるものである。本発明の特定の実施形態における本構造は、概して２つの構成要素を含み、これらは巻取り開始時には最初から互いに貼着されているが、巻出し終了時には互いに分離されて、それまで露出されていなかった接着領域を露出させ、この接着領域は、接合部を形
成するために別のウェブの前端部に貼着することができる。
本構造は、ウェブの後端部と巻取りコアとの間に接続されるため、コアの周りでロール状にウェブを巻き取る前にコアにウェブが取り付けられる。本構造により提供されるコアとウェブとの貼着部は、本構造の２つの構成要素が互いに分離せずに、巻取り開始時にウェブに加わる張力に耐えるのに充分な強度を有する。しかしながら、巻出し終了時には、ウェブに加わり２つの構成要素を引き離す方向に働く張力は、これらの構成要素を分離する役割を果たし、それにより、ウェブの後端部に貼着されたままの構成要素の接着領域が露出する。
【０００８】
本構造は概して、コアに貼着するコア構成要素と、ウェブに貼着するウェブ構成要素とを備える。本発明のいくつかの実施形態では、コア構成要素は、コアに貼着するように構成および配置されるコア貼着部と、コア貼着部につながる自由端部とを有し、自由端部は、コア貼着部がコアに貼り付けられるとコアから離れて延びる。ウェブ構成要素は、ウェブの後端部に貼着するように構成および配置される後部と、この後部につながる前部とを有し、この前部は、後部が後端部に貼り付けられるとウェブの後端部から離れて延びる。前部には接着剤が施されており、ロールを形成するようにコアへのウェブの巻取りが開始される際に、コアとウェブの後端部との間に巻取り張力が加わっても貼り付いたままであるのに充分な接着剤の接合強度で、前部がコア構成要素に接着される。しかしながら、接着剤の接合強度は、ウェブ構成要素の前部が、ロールの巻出し終了時にコア構成要素から分離するのに充分な弱さであり、これにより、ウェブの後端部から延びる前部上の接着剤が、新たなロールから巻き出される別のウェブの前端部に貼着するように露出され、ウェブ同士が接合されるようになる。
【０００９】
一実施形態におけるウェブ構成要素の前部上の接着剤は、２つの構成要素がウェブ巻取りの開始時に互いに接合すると、コア構成要素の自由端部により、ほぼ完全に覆われる。このようにして、前部上の接着剤が、巻取りの際に、ウェブの次の巻取り回転でその上に重なる部分に付着することが防止される。
【００１０】
ウェブ構成要素は、スプライシングテープ（接合テープ）を含むことが便利である。テープの全長の一部はウェブの後端部に取り付けられ、その残りの部分は、コア構成要素への貼り付けのために後端部より外側に延びる。
【００１１】
コア構成要素は、種々の構成および構造を有していてもよい。本発明の一実施形態では、コア構成要素は、基板であって、その全長の一部の片面に施された剥離材料を含むもの（例えば、紙、プラスチックフィルム、布等）を含む。基板の全長の残りの部分（または少なくともその一部）は、コアにウェブを巻き取る前にコアに貼り付けられる。接着剤は基板を貼り付けるためにコアに塗布されてもよく、または基板に施されてもよく、またはコアおよび基板の両方に施されてもよい。
【００１２】
本発明の別の実施形態では、コア構成要素は上面および下面を有する基板を含み、上面は剥離材料で覆われる。基板の全長の部分は、その一部が２層から成り、残りの部分が１層から成るように折り畳まれる。２層を有する一部はウェブ構成要素に貼り付けられる自由端部を形成し、折り畳み部であるため、その対向する面の両方に剥離材料が施されている。１層を有する一部は、巻取り前にコアに貼り付けられるコア貼着部を形成する。好都合なことに、基板の折り畳み部は、巻出し終了時にウェブの後端部がコアから引き離されると自由に開く。基板の折り畳み部が開くと、折り畳み部はそこに貼り付いているウェブ構成要素に対して、ウェブ構成要素を基板から剥がすのにより好ましい向きに動く。
【００１３】
コア構成要素のコア貼着部は、コア構成要素をコアに貼り付けるために、その下面に施される両面接着テープまたは接着剤層を有してもよい。接着テープまたは接着剤層のうち
、コアに面する側には、コア構成要素をコアに貼り付けることが要求される時まで、種々の物体にコア構成要素が付着することを防止するため、剥離ライナーが貼り付けられてもよい。剥離ライナーは、コア構成要素をコアに貼り付ける直前に、接着テープまたは接着剤層を露出させるために剥がすことができる。
【００１４】
同様に、ウェブ構成要素をウェブの後端部に貼り付ける前には、ウェブ構成要素のうちコア構成要素に貼り付けられない部分は、接着面に貼り付けた剥離ライナーを有してもよい。剥離ライナーは、ウェブ構成要素をウェブに貼り付ける直前に、接着面を露出させるため剥がすことができる。
【００１５】
本発明の別の実施形態では、ウェブ構成要素は、ウェブの後端部に貼り付けられる後部と、後端部から離れて延びる前部と、を有するスプライシングテープを含む。前部上の接着剤層が後部に面しないように、前部は後部の下に折り畳まれる。前部はコア構成要素の剥離面に接着される。コア構成要素は、コアに貼り付けられる部分と、コアから離れて延びる自由端部と、を有する基板を含んでもよい。あるいは、コア構成要素は、コアに施された剥離材料の層を含んでもよい。巻出し時に、折り畳まれたスプライシングテープが開いてコア構成要素から分離されることにより、ウェブの後端部を別のウェブの前端部に接合するために、スプライシングテープの前部上の接着剤が露出する。
【００１６】
本発明を概括的に説明してきたが、次に添付図面を参照する。図面は必ずしも一定の縮尺で描かれているわけではない。
【発明を実施するための最良の形態】
【００１７】
次に、本発明を添付図面を参照して本明細書でより詳細に説明するが、図面では本発明の実施形態の全部ではなく一部が示されている。実際には、本発明は多くの異なる形態で具現することができ、本明細書に記載した実施形態に限定されるものと解釈されるべきではない。むしろ、これらの実施形態は、この開示が適用法の要件を満たすように提供されている。全体を通して同様の符号は同様の要素を指す。
【００１８】
本発明の第１実施形態によるウェブの巻取り開始および接合のための二機能構造（開始・接合構造）が、図１に示され、これは全体的に参照符号２０で示される。当該構造２０は、ウェブの後端部に貼着するウェブ構成要素３０と、巻取りコアに貼着するコア構成要素４０とを備える。ウェブ構成要素は、適当なシート材料（例えば、紙、プラスチックフィルム、布等）から成る裏材３４と、この裏材の片面を覆う第１接着剤層３６と、から形成されるスプライシングテープ３２を含む。例えば、シリコンコート紙等を含んでもよい剥離ライナー３８が、スプライシングテープの長さ方向の一部の第１接着剤層３６を覆い、剥離可能に第１接着剤層に接着される。スプライシングテープの全長の残りの部分は、第１接着剤層３６によりコア構成要素４０の一部に接着される。第１接着剤層３６は、感圧接着剤（ＰＳＡ）、すなわち圧力を加えると様々な材料に接着する材料を含むことが好ましい。
【００１９】
コア構成要素４０は、適当なシート材料（例えば、紙、プラスチックフィルム、布等）から成る基板４２を含む。基板の長さ方向の一部の片面には第２接着剤層４４の層が配される。例えば、シリコンコート紙等を含んでもよい剥離ライナー４６が第２接着剤層４４を覆い、剥離可能に接着剤に接着される。接着剤が付着してないことが好ましい基板の端部領域４８が、同様に接着剤が付着してないことが好ましい隣接領域５０の下に折り畳まれる。折り畳まれた端部領域４８は、スプライシングテープ３２のうち、剥離ライナー３８で覆われていない部分に接着される。
【００２０】
スプライシングテープ３２に接着される折り畳まれた端部領域４８の面は、折り畳まれ
た端部領域４８からスプライシングテープが、端部領域４８の平面外の方向に引き離されると、スプライシングテープが容易に剥がれるものが好ましい。この目的のため、端部領域４８には適当な剥離材料（図示はしないが、例えばシリコン）を施すことができ、あるいは、基板４２自体の材料が、スプライシングテープが端部領域４８から容易に剥がれるものであってもよい。しかしながら、スプライシングテープ３２と端部領域４８との間の接着接合部は、このスプライシングテープが端部領域４８から、この端部領域の平面内の方向、すなわち接着剤界面を剥離するのではなく、剪断力を与えるように働く方向に引き離される際の、スプライシングテープの分離を抑制するのに充分な強度を有することが好ましい。
【００２１】
図２に示すように、構造２０を用いて、ウェブＷの後端部５２を巻取りコアＣの円筒状の外面に貼り付けて、ロールＲを形成するようにコアへのウェブの巻取りを開始するのを補助する。本構造は、図３Ｄに関連して以下で説明するように、ロールを巻き出す際に、後端部を別のウェブの前端部と接合することも容易にする。構造２０は、巻取りコアの長さとほぼ等しい幅、すなわち巻取りコアの長手方向に沿った寸法を有するように図示されている。しかしながら、本構造の幅はコアの長さより短くてもよく、または複数の別個の構造がコアの長さに沿って離間していてもよい。
【００２２】
より詳細には、構造２０は、まず、コア構成要素４０の基板４２上の第２接着剤層４４から剥離ライナー４６を剥がすことにより、使用の準備ができる。基板４２のうち、このようにして露出される第２接着剤層４４を有する部分は、本明細書ではコア貼着部と称し、第２接着剤層４４を介して、コアＣの外面に取り付けられる。基板４２の残りの部分は、コアに貼着されないままとなり、本明細書では自由端部と称する。これは、折り畳まれた端部領域４８およびその上に重なる隣接領域５０を含む。したがって、折り畳まれた端部領域４８は、コアの外面と基板の上に重なる領域５０との間にある。基板の自由端部は、スプライシングテープ３２のうち、剥離ライナー３８で覆われない部分（本明細書ではスプライシングテープの前部と称する）に貼着される。
【００２３】
次に、剥離ライナー３８がスプライシングテープ３２から剥がされ、スプライシングテープの残りの部分（本明細書ではスプライシングテープの後部と称する）上の第１接着剤層３６が露出される。続いて、スプライシングテープの後部は、このようにして露出された第１接着剤層３６を介して、ウェブＷの後端部５２に接着される。この時点で、ウェブをコアに巻取り始める準備ができる。
【００２４】
構造２０の構成および配置により、コアが回転してコアにウェブを巻取り始めると、コアと後端部との間の張力が、ウェブ構成要素３０とコア構成要素４０との間の接着接合部を剥離するのではなく剪断力を与えるように働き、ウェブ構成要素３０がコア構成要素４０に貼着されたままであることが理解されるであろう。折り畳まれた端部領域４８が、コアと端部領域４８の上に重なる領域５０との間に挟まれるため、コア構成要素４０は開かない。したがって、構造２０は巻取りプロセスの開始の際に加わる、種々のレベルの張力下で原状を保持するのに充分な強度を有する。
【００２５】
しかしながら、図３Ａ〜図３Ｄを参照し、以下でさらに説明するように、加工作業等の際にロールの巻出しが終了すると、ウェブ構成要素３０はコア構成要素４０から容易に分離し、ウェブ構成要素がウェブの後端部に貼り付いたままとなり、後端部を別のウェブに接合するために露出された接着面を提供するようになる。
【００２６】
図３Ａは、ウェブの後端部５２が巻取りコアから離れて進み始めたところで、コア構成要素の基板４２の自由端部が、コアの外面から引き離され始める時点での、巻出し作業終了時の巻出しロールを示す。この時点で、折り畳まれた端部領域４８が開くことが、その
上に重なる領域５０による加圧で妨げられることはなくなる。
【００２７】
図３Ｂは、図３Ａより後であって、後端部５２がコアから離れて進み続けるとともに、コアが回転し続ける時点を示す。コア構成要素の基板４２は、折り畳まれた端部領域４８にスプライシングテープ３２による力が加わる結果、開き始める。その結果として、端部領域４８およびスプライシングテープ３２は、このスプライシングテープ３２と端部領域４８とを引き剥がすのに有利な相対的向きにされる。
【００２８】
図３Ｃは、さらに後の、スプライシングテープ３２がコア構成要素の基板（コアに貼着したままであるが、図示しない）から完全に分離した時点を示す。したがって、スプライシングテープは、ウェブの後端部５２から離れて延びる前部を有し、スプライシングテープのうち、コアに面しない側の面上には第１接着剤層３６がある。
【００２９】
図３Ｄに示すように、スプライシングテープ３２を用いて、ウェブの後端部５２がウェブ材料の新たなロールＲ’の前端部５４に接合される。この接合をするために種々の装置およびプロセスを用いることができ、図３Ｄは、概して前端部５４およびスプライシングテープ３２が重なった関係にあり、前端部５４がスプライシングテープ３２に接着するように加圧し、これらを互いにプレスする状況を、非常に概略的に示しているにすぎない。構造２０は、ウェブが動いている間に行われる自動接合作業（「フライング」スプライスと称されることが多い）に適している。
【００３０】
図４は、本発明による二機能構造２０’の第２実施形態を示す。構造２０’は、上記構造２０とほぼ同様であり、前述のようなウェブ構成要素３０’と、第１実施形態のコア構成要素とは多少異なるコア構成要素４０’と、を有する。特に、コア構成要素４０’は、基板４２’上に接着剤を含まず、その代わりに、コア構成要素をコアに取り付ける直前に、コアの外面に第２接着剤４４’が塗布される。さらに、基板４２’は、上面に剥離材料４３’（例えばシリコン等）のコーティングを有している。したがって、剥離材料は、ウェブ構成要素３０’のスプライシングテープに接着される折り畳まれた端部領域のコアに面する側に施され、コア構成要素からのスプライシングテープの分離を容易にする。構造２０’は、前述の構造と基本的に同じように機能する。
【００３１】
図５は、本発明による構造２０’’の第３実施形態を示す。構造２０’’は、図１の構造２０とほぼ同様である。ウェブ構成要素３０’’は第１実施形態のウェブ構成要素３０と同一である。コア構成要素４０’’は前述のコア構成要素４０と同様であるが、基板４２’’を巻取りコアに取り付ける際に用いられる接着面を提供するために、両面接着テープ５６が基板４２’’に貼り付けられる点が異なる。両面テープ５６の片面は基板４２’’に取り付けられる。テープの反対側の面には剥離ライナー４６’’が剥離可能に接着され、このライナーは、コア構成要素４０をコアに取り付ける直前に除去される。基板４２’’は、図４の実施形態のように剥離材料４３’’のコーティングを含む。構造２０’’は、図１に関連して説明したのと基本的に同じように機能する。
【００３２】
本発明による構造１２０の第４実施形態を図６に示す。この構造は、コア構成要素１４０に剥離可能に貼り付けられるウェブ構成要素１３０を含む。ウェブ構成要素１３０は、適当な材料（例えば、紙、プラスチックフィルム、布等）から成る裏材１３４と、この裏材の片面を覆う第１接着剤層１３６と、を有するスプライシングテープ１３２を含む。図１の第１実施形態では、コア構成要素が折り畳まれる一方で、ウェブ構成要素は平坦である。本実施形態では、ウェブ構成要素が折り畳まれる一方で、コア構成要素は平坦である。したがって、スプライシングテープ１３２は、このテープの残りの部位の下に折り畳まれる部分１３２ａを有し、この部分１３２ａは、以下においてさらに説明するように、テープのうち接合のためにウェブの後端部から離れて延びる部分であるため、本明細書では
前部と称する。折り畳み部すなわち前部（部分）１３２ａの上に重なるテープの残りの部分は、このテープのうちウェブの後端部に接着される部分であるため、本明細書では後部と称する。前部１３２ａ上の第１接着剤層１３６は、その上に重なる後部（テープの残りの部分）に面さず、コア構成要素１４０の一部に剥離可能に接着される。剥離ライナー１３８は、スプライシングテープの後部上の第１接着剤層１３６を覆い、後部をウェブの後端部に貼り付ける直前に除去される。
【００３３】
コア構成要素１４０は、適当な材料（例えば、紙、プラスチックフィルム、布等）から成る基板１４２を含む。この基板の第１の長手方向部（本明細書では自由端部と称する）の片面は、スプライシングテープの折り畳まれた前部１３２ａに剥離可能に接着される。この基板１４２の第２の長手方向部（本明細書ではコア貼着部と称する）の反対側の面は、第２接着剤層１４４であり、剥離ライナー１４６が第２接着剤層１４４を覆い、基板１４２のコア貼着部を巻取りコアに取り付ける直前に除去される。スプライシングテープ１３２が接着される基板１４２の自由端部は、コアに貼着されないままとなる。コアへのウェブの巻取りを開始する前に、剥離ライナー１３６がスプライシングテープから除去され、このテープ１３２がウェブの後端部に貼り付けられる。巻取りコアは回転し、コアにウェブが巻き取られ始める。
【００３４】
ロールからウェブを巻き出す際に、ウェブの後端部が巻取りコアから離れて進み始めると、プロセス中にスプライシングテープ１３２が基板１４２から剥がれて開く。スプライシングテープがコア構成要素の基板から完全に分離すると、このスプライシングテープは、図３Ｃに示す形態をとり、図３Ｄに示すようにウェブの後端部を、別のウェブの前端部に接合するように位置付けられる。
【００３５】
本発明による構造２２０の第５の実施形態を図７に示す。構造２２０は、スプライシングテープ２３２を含むウェブ構成要素２３０と、コア貼着部上に第２接着剤層２４４を有する基板２４２を含むコア構成要素２４０とを包含する。スプライシングテープ２３２および基板２４２の両方が平坦である（すなわち折り畳まれない）。スプライシングテープ２３２の前部は、基板２４２の自由端部に剥離可能に接着され、スプライシングテープ２３２の後部は、ウェブの後端部５２に接着される。本構造は、このようにして後端部をコアに貼り付け、ロールを形成するようにコアへのウェブの巻取りを開始するのを助ける。ロールの巻出し終了時に、ウェブの後端部がスプライシングテープ２３２をコアから引き離すと、スプライシングテープとコア構成要素２４０との間の接着剤界面は最初に剪断力を受け、その結果生じる剪断応力は、接着接合部を壊し、スプライシングテープをコア構成要素から分離するのに充分であり得る。あるいは、コアが回転し続けると、コア構成要素が折り返り始め、コア構成要素およびスプライシングテープは、コア構成要素をスプライシングテープから剥がすのに、より有利な相対的向きにされる。スプライシングテープがコア構成要素から完全に分離すると、スプライシングテープは図３Ｃに示す形態をとり、図３Ｄに示すようにウェブの後端部を、別のウェブの前端部に接合するように位置付けられる。
【００３６】
図８Ａおよび図８Ｂは、本発明の第６の実施形態による構造３２０を示す。構造３２０は、ほぼ図６に関連して説明したような折り畳まれたスプライシングテープ３３２を含むウェブ構成要素３３０を包含する。コア構成要素３４０は、巻取りコアの円筒状の外面上に施される剥離材料３４３の層を含む。スプライシングテープ３３２の折り畳まれた前部は、コア上の剥離材料３４３に剥離可能に接着され、スプライシングテープ３３２の後部は、ウェブの後端部５２に接着され、それにより後端部５２をコアに貼り付けて、コアへのウェブの巻取りの開始を補助する。巻出し終了時に、ウェブの後端部５２がコアから離れて進むと、スプライシングテープ３３２がコアから引き離されて開き、コア構成要素の剥離材料３４３から剥がれる。スプライシングテープ３３２がコア構成要素３４０から完
全に分離すると、このスプライシングテープは、図８Ｂに示す形態をとり、ウェブの後端部を、別のウェブの前端部５４に接合するために位置付けられる。  剥離材料３４３はコアの外面全体を覆うように図示されているが、別の方法として、これを、外面のうち、スプライシングテープ３３２が接着される部分だけに施すこともできる。
【００３７】
構造３２０は、スプライシングテープ３３２に組み込まれる接合部検知要素３３３を含む。図示のように、接合部検知要素３３３は、スプライシングテープ３３２の面のうちウェブに貼着する面と反対側の面に施され、スプライシングテープの後部上に位置付けられる。あるいは、接合部検知要素は、テープの他方の面に位置付けてもよく、またはテープの厚み内に埋め込むか、または含浸させてもよく、および／またはテープの前部上に位置付けてもよい。接合部検知要素は、適当なセンサにより検知可能であるため、ウェブ間の接合部の場所を自動的に検知することができる。これは、例えば、ウェブ材料のうち接合部を含む部分から製造される製品は廃棄されねばならないことから加工作業の際に有用であり、接合部を自動的に検知できることにより、このような欠陥製品を自動的に廃棄することが可能になる。接合部検知要素は、光検知または金属検知（例えば、誘導不均衡（induction imbalance）、パルス誘導、またはビート周波数発振）を含むがこれらに限定されない種々の方法で検知することができる。したがって、接合部検知要素は光学的に検知可能な特性（例えば、不透明度、色、反射率等）を有してもよい。あるいは、接合部検知要素は金属（例えば、金属箔、鉄の切削屑（iron shavings）等）を含んでもよい。
【００３８】
図１〜図７に示す他の実施形態のいずれも、所望であれば接合検知要素を含むことができる。
【００３９】
図４、図５、および図８Ａの実施形態には剥離材料が示されているが、スプライシングテープが接着される面が、このスプライシングテープが容易に、且つきれいに分離されるようなものである場合、剥離材料は省いてもよい。これとは反対に、図１〜図３、図６、および図７の実施形態は、特に剥離材料を含むものとして示されていないが、所望であれば剥離材料を含んでもよい。
【００４０】
本明細書に記載される本発明の多くの変更形態および他の実施形態は、前述の説明および関連の図面に提示されている教示を用いれば、これらの発明が属する技術分野の当業者には想定されるであろう。したがって、本発明は開示されている特定の実施形態に限定されず、変更形態および他の実施形態が添付の特許請求の範囲内に含まれることが意図されることは、理解すべきである。本明細書では特定の用語を用いているが、これらの用語は包括的および説明的意味で用いられているだけであり、限定を目的としてはいない。
【図面の簡単な説明】
【００４１】
【図１】本発明の第１実施形態による開始・接合構造の断面図である。
【図２】図１の構造によりウェブの後端部がコアに貼り付けられるところのウェブ材料の巻出しロールの斜視図である。
【図３】（図３Ａ）ウェブの後端部が巻出しロールのコアから離れて進み始めた時点の、図２の線３−３に沿ったウェブおよび構造の断面図である。（図３Ｂ）図３Ａに示す状態の後、ウェブの後端部に貼り付けられた開始・接合構造のウェブ構成要素がコアに貼り付けられた構造のコア構成要素から分離し始めた時点における図３Ａと同様の図である。（図３Ｃ）ウェブ構成要素がコア構成要素から完全に分離して、ウェブ構成要素の前部上の接着剤が露出された後であって、図３Ｂに示す状態の後の時点のウェブの後端部を示す図である。（図３Ｄ）ウェブ材料の新たなロールの前端部をウェブ構成要素の露出した接着剤に接着することにより、ウェブの前端部にウェブの後端部が接合される状態を示す図である。
【図４】本発明の第２実施形態による開始・接合構造を示す図である。
【図５】本発明の第３実施形態による開始・接合構造を示す図である。
【図６】本発明の第４実施形態による開始・接合構造を示す図である。
【図７】本発明の第５の実施形態による開始・接合構造を示し、ウェブの後端部をコアに貼り付ける状態の図である。
【図８】（図８Ａ）本発明の第６の実施形態による開始・接合構造を示し、ウェブの後端部が巻出しロールのコアから離れて進み始めた時点におけるウェブの後端部をコアに貼り付ける状態を示す図である。（図８Ｂ）図８Ａに示す状態の後、開始・接合構造のウェブ構成要素がコアから完全に分離され、ウェブ構成要素の前部上の接着剤が露出した時点における図８Ａと同様の図である。
【符号の説明】
【００４２】
２０、２０’、２０’’、１２０、２２０、３２０    構造（開始・接合構造）
３０、３０’、３０’’、２３０、３３０            ウェブ構成要素
３２、１３２、２３２，３３２    スプライシングテープ
４０、４０’、４０’’、１４０、２４０，３４０    コア構成要素
３６、１３６    第１接着剤層
３８、４６、１３８、１４６    剥離ライナー
４２、４２’、４２’’、１４２    基板
４４、１４４、２４４    第２接着剤層
４８    端部領域
５２    後端部
５６    両面テープ
６０    隣接領域
【図１】
2005200220.tif 000003
【図２】
2005200220.tif 000004
【図３】
2005200220.tif 000005
【図４】
2005200220.tif 000006
【図５】
2005200220.tif 000007
【図６】
2005200220.tif 000008
【図７】
2005200220.tif 000009
【図８】
2005200220.tif 000010